(57)【要約】【課題】  分配器としても混合器としても使用できる分配器・混合器両用機器の提供。【解決手段】  入・出力端子と、二以上の分配・入力端子と、分配・混合回路と、入力モニター端子と、出力モニター端子と、分岐トランスと、減衰器を備える。入・出力端子への入力信号を前記分配・混合回路で分配して二以上の分配・入力端子に分配できる分配器としての使用と、二以上の分配・入力端子からの入力信号を前記分配・混合回路で混合して前記入・出力端子に出力できる混合器としての使用が可能である。分岐トランスは入力側が前記入・出力端子と分配・混合回路との間に挿入され、出力側が入力モニター端子に接続された減衰器と出力モニター端子に接続された減衰器との間に挿入され、減衰器は分岐トランスの出力側と入力モニター端子の間、分岐トランスの出力側と出力モニター端子の間に夫々挿入される。分配器としての使用時には出力モニター端子を、混合器としての使用時には入力モニター端子をダミー抵抗で終端できる。【選択図】      図１
2014090398.tif 000002
【特許請求の範囲】
【請求項１】
分配器としても混合器としても使用可能な両用機器であり、
分配器としての使用時に入力端子となり混合器としての使用時に出力端子となる入・出力端子と、
分配器としての使用時に分配端子となり混合器としての使用時に入力端子となる二以上の分配・入力端子と、
分配器としての使用時に分配回路となり混合器としての使用時に混合回路となる分配・混合回路と、
入力モニター端子と、
出力モニター端子と、
分岐トランスと、
減衰器を備え、
前記入・出力端子への入力信号を前記分配・混合回路で分配して二以上の分配・入力端子に分配できる分配器としての使用と、前記二以上の分配・入力端子からの入力信号を前記分配・混合回路で混合して前記入・出力端子に出力できる混合器としての使用が可能な分配器・混合器両用機器であり、
前記分岐トランスはその入力側が前記入・出力端子と前記分配・混合回路との間に挿入され、出力側が入力モニター端子に接続された減衰器と、出力モニター端子に接続された減衰器との間に挿入され、
前記減衰器は分岐トランスの出力側と入力モニター端子の間、分岐トランスの出力側と出力モニター端子の間に夫々挿入され、
分配器としての使用時には出力モニター端子をダミー抵抗で終端でき、
混合器としての使用時には入力モニター端子をダミー抵抗で終端できる、
ことを特徴とする分配器・混合器両用機器。
【発明の詳細な説明】
【技術分野】
【０００１】
本発明は、一つで、分配器（分岐器、分波器を含む）としても混合器としても使用可能な分配器と混合器に両用可能な機器に関し、入力レベルも出力レベルもモニター可能なものであり、特にＣＡＴＶ用の分配器、混合器として使用するのに適するものである。
【背景技術】
【０００２】
従来の分配器と混合器はそれぞれ分配専用、混合専用の機器として設計されていた。分配器も混合器も、機器保守のため、入力端子と出力端子にケーブルを接続した状態でも信号レベルを測定して信号レベルをモニターすることができるようにしてある。具体的には、分配器は入力モニター端子を備え、その入力モニター端子で、入力レベルよりも一定の値だけ低いレベル（通常、入力レベルよりも−２０ｄＢ低いレベル）で入力信号をモニターできるようにしてある。また、混合器は出力モニター端子を備え、その出力モニター端子で、出力レベルよりも一定の値だけ低いレベル（通常、出力レベルよりも−２０ｄＢ低いレベル）で出力信号をモニターできるようにしてある。
【０００３】
図２（ａ）、（ｂ）に示すように、分配器の入力モニター回路と混合器の出力モニター回路は共に分岐トランスと減衰器を備えている。それらモニター回路に使用されている分岐トランスは、分岐端子が二つ存在し、入出力の方向によって配線する分岐端子のピン位置が異なる。この場合、分配器では図２（ａ）に示すように一方の分岐端子を入力モニター端子に配線し、他方の分岐端子を７５Ω抵抗で終端する。混合器では図２（ｂ）に示すように一方の分岐端子を出力モニター端子に配線し、他方の分岐端子を７５Ω抵抗で終端する。
【０００４】
現在は、分配器を混合器として使用すると、混合機能としては問題ないが、分岐トランスのピン位置が逆になりモニター端子では正しい出力レベルを測定できない。逆に、混合器を分配器として使用しても、分配機能としては問題ないが、分岐トランスのピン位置が逆になりモニター端子では正しい入力レベルを測定できない。
【０００５】
従来の分岐器の一例として特許文献１があり、モニター信号取り出し方法として特許文献２がある。しかし、いずれも、一つの機器を混合器と分配器に両用（兼用）できるものではない。
【先行技術文献】
【特許文献】
【０００６】
【特許文献１】特開平８−３０７１８８号公報
【特許文献２】特開平３−３４７９４号公報
【発明の概要】
【発明が解決しようとする課題】
【０００７】
本発明の課題は、一つの機器で、分配器としても、混合器としても使用でき、分配器として使用することきは入力レベルを、混合器として使用するときは出力レベルを、モニターすることができる分配器・混合器両用機器を提供することにある。
【課題を解決するための手段】
【０００８】
本発明の分配器・混合器両用機器は、分配器としても混合器としても使用可能な両用機器であり、分配器としての使用時に入力端子となり混合器としての使用時に出力端子となる入・出力端子と、分配器としての使用時に分配端子となり混合器としての使用時に入力端子となる二以上の分配・入力端子と、分配器としての使用時に分配回路（分配部）となり混合器としての使用時に混合回路（混合部）となる分配・混合回路（分配・混合部）と、入力モニター端子と、出力モニター端子と、分岐トランスと、減衰器を備え、前記入・出力端子への入力信号を前記分配・混合回路で分配して二以上の分配・入力端子に分配できる分配器としての使用と、前記二以上の分配・入力端子からの入力信号を前記分配・混合回路で混合して前記入・出力端子に出力できる混合器としての使用が可能な分配器・混合器両用機器である。前記分岐トランスはその入力側が前記入・出力端子と前記分配・混合回路との間に挿入され、出力側が入力モニター端子に接続された減衰器と、出力モニター端子に接続された減衰器との間に挿入され、前記減衰器は分岐トランスの出力側と入力モニター端子の間、分岐トランスの出力側と出力モニター端子の間に夫々挿入され、分配器としての使用時には出力モニター端子をダミー抵抗で終端でき、混合器としての使用時には入力モニター端子をダミー抵抗で終端できるようにしたものである。
【発明の効果】
【０００９】
本発明の分配器・混合器両用機器は、一つの機器を分配器と混合器に両用（兼用）できるので、一つの機器を量産して分配器と混合器に使い分けることができるため、製造コストが低減する。これまでのように、分配器と混合器を別々に用意する必要がなく、生産管理、在庫管理等が容易になる。
【図面の簡単な説明】
【００１０】
【図１】（ａ）は本発明の分配器・混合器両用機器を分配器として使用する場合の一例を示す説明図、（ｂ）は本発明の分配器・混合器両用機器を混合器として使用する場合の一例を示す説明図。
【図２】（ａ）は従来の分配器の一例を示す説明図、（ｂ）は従来の混合器の一例を示す説明図。
【発明を実施するための形態】
【００１１】
本発明の分配器・混合器両用機器の一例を図１（ａ）、（ｂ）に基づいて説明する。図１（ａ）は本発明の分配器・混合器両用機器を分配器として使用する場合の一例であり、図１（ｂ）は本発明の分配器・混合器両用機器を混合器として使用する場合の一例である。
【００１２】
図１（ａ）は分配器の場合であり、１は入力端子、２は分配部（分配回路）、３は出力端子（分配端子）、４は分岐トランス、５、６は減衰器（アッテネータ：以後「ＡＴＴ」という。）、７は入力モニター端子、８は出力モニター端子である。分配回路２、ＡＴＴ５、６には既存の分配器に使用されている汎用のものを使用することができる。
【００１３】
図１（ｂ）は混合器の場合であり、１１は入力端子（混合端子）、１２は混合部（混合回路）、１３は出力端子、４は分岐トランス、５、６はＡＴＴ（減衰器）、７は入力モニター端子、８は出力モニター端子である。混合回路１２、ＡＴＴ５、６には既存の混合器に使用されている汎用のものを使用することができる。
【００１４】
混合器として使用する場合の図１（ｂ）の出力端子１３と、分配器として使用する場合の図１（ａ）の入力端子１は兼用であることから、両端子１３、１を、通常は入・出力端子という。混合器として使用する図１（ｂ）の入力端子１１と分配器として使用する図１（ａ）の分配端子３は兼用であることから、両端子３、１１通常は分配・入力端子という。図１（ｂ）の分岐トランス４、ＡＴＴ５、６、入力モニター端子７、出力モニター端子８は、図１（ａ）のそれらと同じものである。
【００１５】
分配器として使用する図１（ａ）では出力モニター端子８をダミー抵抗Ｒで終端し、混合器として使用する図１（ｂ）では入力モニター端子７をダミー抵抗Ｒで終端する。ダミー抵抗Ｒには汎用のダミー抵抗と同じ７５Ωの抵抗値が使用されるが、抵抗値は場合によっては７５Ω以外であってもよい。図１（ａ）の配線状態では入力モニター端子７において入力信号レベルをモニターすることができ、図１（ｂ）の配線状態では出力モニター端子８において出力信号レベルをモニターすることができる。なお、入力モニター端子７および出力モニター端子８を、それぞれダミー抵抗Ｒで終端している場合は、モニター機能のない分配器または混合器として使用可能であることはいうまでもない。
【００１６】
（分配器としての使用）
分配器として使用する図１（ａ）では、一つの入力端子１から入力された入力信号は、分岐回路２で分岐されて複数の分配端子３に出力される。このとき、入力信号は分岐トランス４で分岐されてＡＴＴ５に入力されてレベル調整されて入力モニター端子７で入力信号をモニターすることができる。
【００１７】
（混合器としての使用）
混合器として使用する図１（ｂ）では、複数の入力端子１１から入力された入力信号は、混合回路１２で混合されて一つの出力端子１３に出力される。このとき、混合された入力信号は分岐トランス４で分岐されてＡＴＴ６に入力されてレベル調整されて出力モニター端子８で出力信号をモニターすることができる。
【００１８】
本発明の分配器・混合器両用機器の結線は、本発明の目的を達成可能であれば、図１（ａ）（ｂ）に示した結線以外の結線とすることもできる。
【産業上の利用可能性】
【００１９】
本発明の分配器・混合器両用機器は、分岐器と混合器の両用にも、分配器と混合器の両用にも使用可能である。また、ＣＡＴＶ用以外の通信機器や回線でも利用可能である。
【符号の説明】
【００２０】
１  入力端子
２  分配部（分配回路）
３  出力端子（分配端子）
４  分岐トランス
５、６  減衰器（ＡＴＴ）
７  入力モニター端子
８  出力モニター端子
１１  入力端子（混合端子）
１２  混合部（混合回路）
１３  出力端子
Ｒ  ダミー抵抗
【図１】
2014090398.tif 000003
【図２】
2014090398.tif 000004